(57)【要約】  【課題】従来から、有料のコンテンツ等を配信し課金をするために、コンテンツ等を利用しようとする利用者に対して有料である旨を告知するためのシステムは存在した。しかしながら、コンテンツ等を受信する利用者にとっては、課金が発生しない場合であっても通信が行なわれることについての予告を必要とする場合がある。  【解決手段】本発明に係る通信発生予告電子機器は、通信発生予告情報を取得し、通信の発生を予告するための警告情報を出力する機能を有する。また、出力される警告情報に基づいて、表示画面に通信の発生を予告する警告アイコンを表示する機能を有するため、利用者がコンテンツ等を視聴している場合等には、コンテンツ等の表示を妨げずに通信の発生を予告することが可能である。【選択図】            図１
2006295711.tif 000002
【特許請求の範囲】
【請求項１】
表示画面に画像を表示するための画面表示部と、
通信発生予告情報を取得する通信発生予告情報取得部と、
前記通信発生予告情報取得部にて通信発生予告情報が取得された場合に、通信の発生を予告するための警告情報を出力する警告情報出力部と、
を有する電子機器。
【請求項２】
前記画面表示部は、警告情報出力部から出力される警告情報に応じて、表示画面に警告アイコンを表示する警告アイコン表示手段を有する請求項１に記載の電子機器。
【請求項３】
前記警告アイコン表示手段は、表示画面に表示されるべきコンテンツ画像を避けて前記警告アイコンを表示する回避表示器を有する請求項２に記載の電子機器。
【請求項４】
前記画面表示部は、表示画面を、コンテンツ画像を表示するためのコンテンツ画像表示領域と、コンテンツ画像表示領域を囲む四辺の一部又は全部に配置される枠表示領域と、から構成するように表示し、
前記回避表示器は、前記枠表示領域に前記警告アイコンを表示する請求項３に記載の電子機器。
【請求項５】
表示画面を利用したブラウザを操作信号に基づいて操作するブラウザ操作部を有し、
前記通信発生予告情報取得部は、前記操作信号に基づいて通信発生予告情報を取得するブラウザ操作依存取得手段を有する請求項１から４のいずれか一に記載の電子機器。
【請求項６】
プログラムを実行するプログラム実行部を有し、
前記通信発生予告情報取得部は、前記プログラムの実行に基づいて通信発生予告情報を取得するプログラム実行依存取得手段を有する請求項１から５のいずれか一に記載の電子機器。
【請求項７】
前記画面表示部は、地上デジタル放送を受信する地上デジタル放送受信手段を有し、
前記通信発生予告情報取得部は、前記地上デジタル放送受信手段にて受信された地上デジタル放送に含まれる信号に基づいて通信発生予告情報を取得する地上デジタル放送依存取得手段を有する請求項１から６のいずれか一に記載の電子機器。
【請求項８】
前記警告情報出力部は、一の通信に対する通信発生予告情報に対して異なる種類の警告情報を出力する複数警告情報出力手段を有する請求項１から７のいずれか一に記載の電子機器。
【請求項９】
前記異なる種類の警告情報に応じて前記警告アイコン表示手段により表示される警告アイコンは、警告情報の出力順に応じて徐々に面積が大きくなる請求項８に記載の電子機器。
【請求項１０】
音声出力部を有し、
前記警告情報出力部は、音声出力部に警告音信号を出力する警告音信号出力手段を有する請求項１から９のいずれか一に記載の電子機器。
【請求項１１】
請求項１から１０のいずれか一に記載の電子機器を有する携帯型端末装置。
【請求項１２】
通信発生予告情報を取得する通信発生予告情報取得ステップと、
前記通信発生予告情報取得ステップにて通信発生予告情報が取得された場合に、通信の発生を予告するための警告情報を出力する警告情報出力ステップと、
を有する電子機器の動作方法。
【請求項１３】
警告情報出力ステップにて出力される警告情報に応じて、表示画面に警告アイコンを表示する警告アイコン表示ステップを有する請求項１２に記載の電子機器の動作方法。
【請求項１４】
ブラウザを操作信号に基づいて操作するブラウザ操作ステップを有し、
前記通信発生予告情報取得ステップは、前記ブラウザの操作信号に基づいて通信発生予告情報を取得するブラウザ操作依存取得ステップを有する請求項１２又は１３に記載の電子機器の動作方法。
【請求項１５】
プログラムを実行するプログラム実行ステップを有し、
前記通信発生予告情報取得ステップは、前記プログラムの実行に基づいて通信発生予告情報を取得するプログラム実行依存取得ステップを有する請求項１２から１４のいずれか一に記載の電子機器の動作方法。
【請求項１６】
地上デジタル放送を受信する地上デジタル放送受信ステップを有し、
前記通信発生予告情報取得ステップは、前記地上デジタル放送受信ステップにて受信された地上デジタル放送に含まれる信号に基づいて通信発生予告情報を取得する地上デジタル放送依存取得ステップを有する請求項１２から１５のいずれか一に記載の電子機器。
【発明の詳細な説明】
【技術分野】
【０００１】
本発明は、通信の発生を予告するための機能を有する電子機器に関する。
【背景技術】
【０００２】
従来から、有料のコンテンツ等を配信し課金をするために、コンテンツ等を利用しようとする利用者に対して有料である旨を告知するためのシステムが存在する（例えば、特許文献１）。このようなシステムは、コンテンツ等が有料であることを利用者に示すものである。つまり、有料コンテンツの利用に対して課金がされることを利用者に通知するものである。
【特許文献１】特開平１１−２９８８７７号公報
【発明の開示】
【発明が解決しようとする課題】
【０００３】
しかしながら、コンテンツ等を受信する利用者にとっては、コンテンツの利用開始に対しては課金が発生しない場合であっても通信が行なわれることについての予告を必要とする場合がある。例えば、オンラインゲーム等で送受信されるデータ量に対して課金されるようなシステムにおいては、ゲームをプレイし続けると自動的に料金が加算されていく場合がある。このような場合、利用者は事前に有料であることを知らされていても、ゲームに熱中するあまり、ゲームの進行に応じて課金されていることを忘れ、結果的に多大な料金を請求される場合等がある。このような場合、ゲームの進行中にデータが送受信されていることがはっきりと分かれば、利用者はその都度、課金されていることが実感でき、途中でゲームをやめる等の判断をすることも可能である。また、特に利用者がゲームやコンテンツ等を視聴している最中に通信の発生を予告する場合には、視聴を妨げないように予告方法を考慮しなければならない。例えば、コンテンツを視聴している最中に突然予告画面が表示されたりすると、利用者が見たいシーンを見損ねる等の問題が発生するからである。
【課題を解決するための手段】
【０００４】
本発明は、この課題を解決するために、通信が発生する場合において通信の発生を予告するための機能を有する通信発生予告電子機器を提案する。本発明に係る通信発生予告電子機器は、通信の発生を予告するための警告情報を出力する機能を有する。また、出力される警告情報に基づいて、文字表示、アイコン表示、音声等により表示画面に通信の発生を予告する機能を有する。本発明の解決手段は、電子機器にて実行されるアプリケーションが実現してもよいし、電子機器が利用しているオペレーティングシステムが実現してもよい。もちろん、電子機器のハードウェアレベルで実現してもよい。特に、電子機器が利用しているオペレーティングシステムや、ハードウェアが実現する場合には、警告情報を出力する機能を有しないアプリケーションなどが通信をする場合であっても警告機能を実現できるので便利である。
【発明の効果】
【０００５】
以上のように、本発明に係る通信発生予告電子機器においては、通信の発生を予告するための機能を有するため、利用者は通信を行なう前に通信するか否かを判断することが可能である。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、１２などについて説明する。実施形態２は、主に請求項２、１３などについて説明する。実施形態３は、主に請求項３、４などについて説明する。実施形態４は、主に請求項５、１４などについて説明する。実施形態５は、主に請求項６、１５などについて説明する。実施形態６は、主に請求項７、１６などについて説明する。実施形態７は、主に請求項８、９などについて説明する。実施形態８は、主に請求項１０などについて説明する。実施形態９は、主に請求項１１などについて説明する。
（実施形態１）
【０００７】
（実施形態１：概要）本実施形態は、通信発生予告情報を取得し、通信の発生を予告するための警告情報を出力する機能を有する電子機器に関する。
【０００８】
（実施形態１：構成）本実施形態に係る電子機器の機能ブロックを図１に例示する。電子機器（０１００）は、「画面表示部」（０１１０）と、「通信発生予告情報取得部」（０１２０）と、「警告情報出力部」（０１３０）とを有する。電子機器（０１００）は、画像を表示可能な通信機能を有する電子機器全般が該当する。特に、携帯電話のようにディスプレイの小さい携帯型端末などの場合には、より効果的である。
【０００９】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１０】
「画面表示部」（０１１０）は、表示画面に画像を表示するための機能を有する。表示画面の種類は、ＴＦＴ（Ｔｈｉｎ  Ｆｉｌｍ  Ｔｒａｎｓｉｓｔｏｒ）などの液晶画面であってもよいし、他にも有機ＥＬ（Ｅｌｅｃｔｒｏｌｕｍｉｎｅｓｃｅｎｃｅ）、無機ＥＬ、プラズマディスプレイ画面、ＣＲＴ（Ｃａｔｈｏｄｅ  Ｒａｙ  Ｔｕｂｅ）等、様々に想定される。「画像」とは、電子機器の通常時の待機画面、電子機器の各機能の設定画面、メール等の他に、例えば、利用者が通信を行なって視聴するテレビ番組、ウエッブページ、ゲーム等のコンテンツであることが想定される。また、画像は静止画であってもよいし動画であってもよい。また、画像の形式は、ビットマップ、ＧＩＦ（Ｇｒａｐｈｉｃｓ  Ｉｎｔｅｒｃｈａｎｇｅ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ）、ＰＮＧ（Ｐｏｒｔａｂｌｅ  Ｎｅｔｗｏｒｋ  Ｇｒａｐｈｉｃｓ）等、様々に想定される。
【００１１】
「通信発生予告情報取得部」（０１２０）は、通信発生予告情報を取得する機能を有する。「通信発生予告情報」とは、通信の発生を予告するための情報である。具体的には、通信が発生する旨を示す情報であり、実際には電子信号により実現される。また、通信の発生を予告するだけではなく通信に関する他の情報を含んでいてもよい。例えば、通信を行なうことによって課金されるような場合には、課金に関する詳細な情報等を含んでいてもよい。図２２は、一般的な計算機の構成を示す図であるが、通信発生予告情報取得部には主に入出力インタフェース（Ｉ／Ｏ）を含む部分が該当する。入出力インタフェースとは、具体的には、通信モデム、ＬＡＮカード、ディスプレイ、キーボード、マウス、タッチパネル、外部メモリ、等が該当する。即ち、これらの入出力インタフェースにおいて、通信を開始するという通信発生予告情報に該当する電子信号が取得され、電子信号が取得されたことをトリガーとして前記警告情報出力部（０１３０）より警告情報が出力される。また、通信発生予告情報は、外部又は内部から通信によって取得される。通信は、有線によってもよいし無線によってもよい。無線であれば、例えばＢｌｕｅｔｏｏｔｈ（登録商標）、赤外線などの不可視光線でもよいし、可視光線によってもよい。
【００１２】
図２は、通信発生予告情報の具体例を示す。本例においては、通信発生予告情報は、通信開始予定時刻、課金の有無、課金条件を含んでいる。
【００１３】
「警告情報出力部」（０１３０）は、通信発生予告情報取得部（０１２０）にて通信発生予告情報が取得された場合に、通信の発生を予告するための警告情報を出力する機能を有する。即ち、警告情報出力部は前記通信発生予告情報取得部（０１２０）にて通信発生予告情報が取得されたことをトリガーとして警告情報を出力する。「警告情報」とは、通信発生予告情報の内容に基づいて、通信が発生する旨を電子機器の利用者に示すための情報である。即ち、警告情報には少なくとも、通信が発生する旨を示す情報が含まれる。また、警告情報は、通信発生予告情報の内容のすべてを示す情報であってもよいが、一部のみを示す情報であってもよい。例えば、通信発生予告情報に課金に関する情報が含まれていても、警告情報には通信が発生する旨を示す情報のみが含まれていてもよい。また、警告情報は、文章で示されてもよいし、アイコン等で示されてもよい。さらに、音声、発光、振動等によって示されてもよい。また、警告情報に対して、利用者が通信を行なうか否かを電子機器のキー操作や声によって決定できるようになっていてもよい。警告情報出力部の具体例としては、ディスプレイ、スピーカー、発光部、バイブレーター機構等が該当する。
【００１４】
図３は、警告情報出力部の具体例を示す。図３は、電子機器が携帯電話である場合を例示する。（ａ）は、文章の表示による警告情報の出力を例示する。（ｂ）は、アイコンの表示による警告情報の出力を例示する。（ｃ）は、音声による警告情報の出力を例示する。（ｃ）は、発光による警告情報の出力を例示する。
【００１５】
（実施形態１：処理の流れ）図４は、本実施形態に係る電子機器における処理の流れを示すフロー図を例示する。最初に、通信発生予告情報を取得する。この処理は通信発生予告情報取得部によって実行される（通信発生予告情報取得ステップ  Ｓ０４１０）。次に、前記通信発生予告情報取得ステップ（Ｓ０４１０）にて通信発生予告情報が取得されたか判断する。ここでの判断が、通信発生予告情報が取得されたとの判断であった場合には、後述の警告情報出力ステップ（Ｓ０４３０）に移行する。ここでの判断が、通信発生予告情報が取得されなかったとの判断であった場合には、処理を終了する（通信発生予告情報取得判断ステップ  Ｓ０４２０）。最後に、前記通信発生予告情報取得判断ステップ（Ｓ０４２０）における判断が、通信発生予告情報が取得されたとの判断であった場合には、警告情報を出力する。この処理は警告情報出力部によって実行される（警告情報出力ステップ  Ｓ０４３０）。
【００１６】
（実施形態１：効果）本実施形態に係る電子機器は、通信発生予告情報を取得し、通信の発生を予告するための警告情報を出力する機能を有する。これにより、通信が発生する際に、電子機器の利用者等に通信が発生する旨を予告することができる。さらに、利用者に通信が発生することをはっきりと認識させることで、利用者が通信を拒否することができるようにする等、利便性を高めることができる。
（実施形態２）
【００１７】
（実施形態２：概要）本実施形態は、実施形態１に係る電子機器の機能に加え、警告情報出力部から出力される警告情報に応じて、表示画面に警告アイコンを表示する機能を有する電子機器に関する。
【００１８】
（実施形態２：構成）本実施形態に係る電子機器の機能ブロックを図５に例示する。電子機器（０５００）の構成は、実施形態１に係る電子機器の構成に「警告アイコン表示手段」（０５１１）を加えた構成となっている。前記警告アイコン表示手段（０５１１）は、画面表示部（０５１０）に含まれる。
【００１９】
「警告アイコン表示手段」（０５１１）は、警告情報出力部（０５３０）から出力される警告情報に応じて、表示画面に警告アイコンを表示する機能を有する。即ち、警告情報の取得をトリガーとして、アイコン画像をディスプレイに出力する処理が開始されるが、具体的には、（１）警告情報に応じて、予め定められたアイコン画像を識別する識別情報（ＩＤでもよいし、メモリ上のアドレス等でもよい）を取得、（２）ＲＡＭ、ＲＯＭ、ハードディスクなどの記憶媒体上のメモリ領域から、該当するアイコン画像を構成するアイコン画像情報を取得、（３）アイコン画像情報を画像用メモリに入力、（４）アイコン画像を他の表示用画像に組み込み、（５）アイコン画像が組み込まれた表示用画像をディスプレイ出力信号に変換、（６）ディスプレイに出力、という処理となる。また、「警告アイコン」とは、例えば、図３（ｂ）のようなアイコンである。また、（ａ）のように領域が広く、文字が記述されているものであってもよい。また、例えば、クリックすることでさらに詳細な情報を前記表示画面等に表示できるようになっていると便利である。なぜならば、このような仕組みになっていれば、例えば、利用者は、視聴しているコンテンツ等が前記表示画面に表示されている間は警告アイコンを（ｂ）のような状態のままにしておき、コンテンツ等の視聴が終了してから警告アイコンをクリックして（ａ）のように詳細な情報を前記表示画面に表示する等が可能だからである。また、警告アイコンはアイコンの一種であるので、ドラッグ、ドロップができるようになっていてもよい。例えば、前記画面表示部（０５１０）がタッチパネルになっている場合等に実現可能である。
【００２０】
（実施形態２：処理の流れ）図６は、本実施形態に係る電子機器における処理の流れを示すフロー図を例示する。最初に、通信発生予告情報を取得する。この処理は通信発生予告情報取得部によって実行される（通信発生予告情報取得ステップ  Ｓ０６１０）。次に、前記通信発生予告情報取得ステップ（Ｓ０６１０）にて通信発生予告情報が取得されたか判断する。ここでの判断が、通信発生予告情報が取得されたとの判断であった場合には、後述の警告情報出力ステップ（Ｓ０６３０）に移行する。ここでの判断が、通信発生予告情報が取得されなかったとの判断であった場合には、処理を終了する（通信発生予告情報取得判断ステップ  Ｓ０６２０）。次に、前記通信発生予告情報取得判断ステップ（Ｓ０６２０）における判断が、通信発生予告情報が取得されたとの判断であった場合には、警告情報を出力する。この処理は警告情報出力部によって実行される（警告情報出力ステップ  Ｓ０６３０）。最後に、前記警告情報出力ステップ（Ｓ０６３０）にて出力される警告情報に応じて、表示画面に警告アイコンを表示する。この処理は警告アイコン表示手段によって実行される（警告アイコン表示ステップ  Ｓ０６４０）。
【００２１】
（実施形態２：効果）本実施形態に係る電子機器は、実施形態１に係る電子機器の機能に加えて、警告情報出力部から出力される警告情報に応じて、表示画面に警告アイコンを表示する機能を有する。これにより、警告アイコンにより通信の発生を予告することができるので、表示画面にコンテンツ等が表示されている場合であっても、コンテンツの視聴を妨げないように通信の発生を利用者に予告することができる。また、警告アイコンをクリック等することにより、通信に関するより詳しい情報を利用者に提供する等も可能である。
（実施形態３）
【００２２】
（実施形態３：概要）本実施形態は、実施形態２に係る電子機器の機能に加え、表示画面に表示されるべきコンテンツ画像を避けて前記警告アイコンを表示する機能を有する電子機器に関する。
【００２３】
（実施形態３：構成）本実施形態に係る電子機器の機能ブロックを図７に例示する。電子機器（０７００）の構成は、実施形態２に係る電子機器の構成に「回避表示器」（０７１２）を加えた構成となっている。前記回避表示器（０７１２）は、警告アイコン表示手段（０７１１）に含まれる。
【００２４】
「回避表示器」（０７１２）は、表示画面に表示されるべきコンテンツ画像を避けて前記警告アイコンを表示する機能を有する。回避表示器の具体的な処理としては、（１）警告情報に応じて、予め定められたアイコン画像を識別する識別情報（ＩＤでもよいし、メモリ上のアドレス等でもよい）を取得、（２）ＲＡＭ、ＲＯＭ、ハードディスクなどの記憶媒体上のメモリ領域から、該当するアイコン画像を構成するアイコン画像情報を取得、（３）アイコン画像情報を画像用メモリに入力、（４）コンテンツ画像表示領域以外の表示画面の画像構成情報を取得、（５）表示画面の画像構成情報から、他のアイコン等が表示されていない空き領域情報を取得、（６）アイコン画像を、空き領域情報に基づいて取得した空き領域に表示される表示用画像に組み込み、（７）アイコン画像が組み込まれた表示用画像をディスプレイ出力信号に変換、（８）ディスプレイに出力、という処理となる。「コンテンツ画像」とは、例えば、テレビ放送波などを受信することで視聴可能なテレビ画像や、ネットワーク通信により閲覧するウエッブページやダウンロードしたゲーム等を電子機器で再生することにより視聴可能である画像等を意味する。また、画面表示部（０７１０）は、表示画面を、コンテンツ画像を表示するためのコンテンツ画像表示領域と、コンテンツ画像表示領域を囲む四辺の一部又は全部に配置される枠表示領域とから構成するように表示し、回避表示器は、前記枠表示領域に前記警告アイコンを表示する場合があってもよい。図８は、電子機器が携帯電話であり、表示画面（０８１０）が携帯電話のディスプレイである場合を例示しているが、表示画面（０８１０）において、前記コンテンツ画像表示領域が斜線部（０８２０）であるとすると、枠表示領域は、０８２０以外の領域である。例えば、携帯電話の電波受信状況や電池の残量を表すマーク等が表示される部分（０８３０）などが好適であると思われる。このような領域に警告アイコンを表示すれば、利用者がコンテンツ画像表示領域（０８２０）に表示されているコンテンツ画像を視聴している場合であっても、視聴を妨げずに警告アイコンを表示することができる。
【００２５】
（実施形態３：処理の流れ）本実施形態に係る電子機器における処理の流れは、実施形態２に係る電子機器における処理の流れと同様である。ただし、前記警告アイコン表示ステップ（Ｓ０６５０）において表示画面に表示されるべきコンテンツ画像を避けて警告アイコンを表示することを特徴とする。
【００２６】
（実施形態３：効果）本実施形態に係る電子機器は、実施形態２に係る電子機器の機能に加えて、表示画面に表示されるべきコンテンツ画像を避けて前記警告アイコンを表示する機能を有する。これにより、利用者が表示画面に表示されるコンテンツ画像を視聴している場合等であっても、コンテンツの視聴を妨げずに警告アイコンを表示することが可能である。
（実施形態４）
【００２７】
（実施形態４：概要）本実施形態は、実施形態１から３のいずれか一に係る電子機器の機能に加え、表示画面を利用したブラウザを操作信号に基づいて操作する機能を有し、通信発生予告情報取得部は、前記操作信号に基づいて通信発生予告情報を取得する機能を有する電子機器に関する。
【００２８】
（実施形態４：構成）本実施形態に係る電子機器の機能ブロックを図９に例示する。電子機器（０９００）の構成は、実施形態１から３のいずれか一に係る電子機器の構成に「ブラウザ操作部」（０９４０）と「ブラウザ操作依存取得手段」（０９２１）を加えた構成となっている。図９においては、実施形態３において説明の電子機器の構成に前記ブラウザ操作部（０９４０）と前記ブラウザ操作依存取得手段（０９２１）を加えた構成を例示している。前記ブラウザ操作依存取得手段（０９２１）は通信発生予告情報取得部（０９２０）に含まれる。
【００２９】
「ブラウザ操作部」（０９４０）は、表示画面を利用したブラウザを操作信号に基づいて操作する機能を有する。「表示画面を利用したブラウザ」とは、表示画面にブラウザを表示して使用するという意味である。「操作信号」とは、利用者が電子機器の数字キー、英字キー、方向キー、ポインティングデバイス、ポインティングスティック等の入力インタフェースによって、表示画面に表示されるブラウザに対して文字入力やカーソル移動等のための入力操作を実行した際に発生する電子的な信号である。例えば、「次ページ」ボタンをクリックする、リンクをクリックする、等の操作により発生する信号である。「ブラウザを操作信号に基づいて操作する」とは、利用者の入力操作により発生する操作信号に従って、ブラウザに対して入力処理を実行するという意味である。例えば、利用者が「右」の方向キーを一回押下するとブラウザのカーソルやフォーカスが右に一回移動する、利用者が「１」の数字キーを押下するとブラウザのフォーカスが当たっている入力フォームに数字の「１」が表示される、利用者が決定キーを二回押下するとフォーカスが当たっているアイコンをダブルクリックする、等の処理を行なう。また、ブラウザ自体を機能させるための操作によっても操作信号は発生する。「ブラウザ自体を機能させるための操作」とは、具体的には、ブラウザの「戻る」ボタン、「進む」ボタン、「更新」ボタンを押下する等の操作を指す。
【００３０】
「ブラウザ操作依存取得手段」（０９２１）は、前記操作信号に基づいて通信発生予告情報を取得する機能を有する。「前記操作信号に基づいて」とは、前記操作信号が発生した結果に応じて通信発生予告情報を取得する、という意味である。また、ブラウザ操作依存取得手段は、具体的には、ブラウザ又はブラウザに表示されるコンテンツ等に対して、利用者がどのような操作をした場合に通信が発生するかを示す情報を保持していることが想定される。例えば、「検索」ボタン、「次ページ」ボタン、「ソフトウェアのダウンロード」のリンクを利用者がクリック、又はフォーカスを当てた場合には通信が発生する、等を示す情報をデータベース等に保持しておく。利用者が操作を行なうことで操作信号が発生すると、操作信号に基づいて利用者がどこをクリック等したかを判断し、データベースに問い合わせることにより、通信が発生する操作であったかどうかが抽出される。通信が発生する操作であった場合には、前記警告情報出力部にて警告情報が出力される。
【００３１】
図１０は、ブラウザ操作依存取得手段の具体例を示す。ブラウザ（１０１０）にて閲覧しているウエッブページに「本ソフトウェアの説明」というリンクと「本ソフトウェアのダウンロードの実行」というリンクが表示おり、「本ソフトウェアの説明」のリンクは通信が発生しないリンクであり、「本ソフトウェアのダウンロードの実行」のリンクは通信が発生するリンクであるとする。まず、（ａ）のように、「本ソフトウェアの説明」のリンクにフォーカスが当たっている。ここで、（ｂ）利用者が「下」方向キーを一回押下すると、（ｃ）「下」方向キーが押下されたことを示す操作信号が発生する。操作信号が発生すると、（ｄ）「本ソフトウェアのダウンロードの実行」のリンクにフォーカスが当たる。「本ソフトウェアのダウンロードの実行」のリンクは通信が発生するため、例えば、警告アイコン（１０２０）が表示される。
【００３２】
（実施形態４：処理の流れ）図１１は、本実施形態に係る電子機器における処理の流れを示すフロー図を例示する。最初に、表示画面にブラウザを表示する。この処理は画面表示部によって実行される（ブラウザ表示ステップ  Ｓ１１１０）。次に、前記ブラウザ表示ステップ（Ｓ１１１０）にて表示されたブラウザを操作信号に基づいて操作する。この処理はブラウザ操作部によって実行される（ブラウザ操作ステップ  Ｓ１１２０）。次に、前記操作信号に基づいて通信発生予告情報を取得する。この処理はブラウザ操作依存取得手段によって実行される（ブラウザ依存通信発生予告情報取得ステップ  Ｓ１１３０）。次に、前記ブラウザ依存通信発生予告情報取得ステップ（Ｓ１１３０）にて通信発生予告情報が取得されたか判断する。ここでの判断が、通信発生予告情報が取得されたとの判断であった場合には、後述の警告情報出力ステップ（Ｓ１１５０）に移行する。ここでの判断が、通信発生予告情報が取得されなかったとの判断であった場合には、処理を終了する（通信発生予告情報取得判断ステップ  Ｓ１１４０）。最後に、前記通信発生予告情報取得判断ステップ（Ｓ１１４０）における判断が、通信発生予告情報が取得されたとの判断であった場合には、警告情報を出力する。この処理は警告情報出力部によって実行される（警告情報出力ステップ  Ｓ１１５０）。また、前記警告情報出力ステップ（Ｓ１１５０）にて出力される警告情報に応じて、表示画面に警告アイコンを表示してもよい。この処理は警告アイコン表示手段によって実行される（警告アイコン表示ステップ）。
【００３３】
（実施形態４：効果）本実施形態に係る電子機器は、実施形態１から３のいずれか一に係る電子機器の機能に加えて、表示画面を利用したブラウザを操作信号に基づいて操作する機能を有し、通信発生予告情報取得部は、前記操作信号に基づいて通信発生予告情報を取得する機能を有する。これにより、利用者がブラウザを操作した結果に応じて、通信発生予告情報を取得し、警告情報を出力することが可能である。
（実施形態５）
【００３４】
（実施形態５：概要）本実施形態は、実施形態１から４のいずれか一に係る電子機器の機能に加え、プログラムを実行する機能を有し、通信発生予告情報取得部は、前記プログラムの実行に基づいて通信発生予告情報を取得する機能を有する電子機器に関する。
【００３５】
（実施形態５：構成）本実施形態に係る電子機器の機能ブロックを図１２に例示する。電子機器（１２００）の構成は、実施形態１から４のいずれか一に係る電子機器の構成に「プログラム実行部」（１２５０）と「プログラム実行依存取得手段」（１２２２）を加えた構成となっている。図１２においては、実施形態４において説明の電子機器の構成に前記プログラム実行部（１２５０）と前記プログラム実行依存取得手段（１２２２）を加えた構成を例示している。前記プログラム実行依存取得手段（１２２２）は通信発生予告情報取得部（１２２０）に含まれる。
【００３６】
「プログラム実行部」（１２５０）は、プログラムを実行する機能を有する。「プログラム」とは、例えば、オンラインゲームなど、特に実行のために通信を要するプログラムを意味する。プログラム実行部は、プログラムがＣＰＵ（Ｃｅｎｔｒａｌ  Ｐｒｏｃｅｓｓｉｎｇ  Ｕｎｉｔ）等の処理機構により実行されることで実現される。
【００３７】
「プログラム実行依存取得手段」（１２２２）は、前記プログラムの実行に基づいて通信発生予告情報を取得する機能を有する。「前記プログラムの実行に基づいて」とは、前記プログラムを実行し始める際に、又は実行中において通信が必要となった場合に、通信発生予告情報を取得する、という意味である。例えば、オンラインゲームを実行している最中にサーバに接続してプログラムをダウンロードしなければならない場合等は、通信が発生するため通信発生予告情報が取得される。また、実際に通信を開始する以前に、実行しているプログラム等を解析することにより通信が発生する可能性があることを予告するようになっていてもよい。例えば、シューティングゲーム等において敵キャラクターを倒して次のシーンに進む場合には通信が発生するが、敵キャラクターに負けるとゲームオーバーになって終了するような場合には、敵キャラクターとの戦闘場面になった時点で敵キャラクターに勝利すると通信が発生する旨を知らせるようになっていてもよい。このような場合には、敵キャラクターとの戦闘場面をプレイする時点では実際に通信が発生するかどうかわからないが、敵キャラクターに勝つか負けるかという条件により通信が発生するか否かがプログラムにより決まっているので、例えば、プログラムをダウンロードした際などに解析を行ない、どのポイントで通信が発生するかをデータベース等に保持しておくことで通信が発生する可能性があることを予告することができる。
【００３８】
（実施形態５：処理の流れ）図１３は、本実施形態に係る電子機器における処理の流れを示すフロー図を例示する。最初に、プログラムを実行する。この処理はプログラム実行部によって実行される（プログラム実行ステップ  Ｓ１３１０）。次に、前記プログラム実行ステップ（Ｓ１３１０）におけるプログラムの実行に基づいて通信発生予告情報を取得する。この処理はプログラム実行依存取得手段によって実行される（プログラム実行依存通信発生予告情報取得ステップ  Ｓ１３２０）。次に、前記プログラム実行依存通信発生予告情報取得ステップ（Ｓ１３２０）にて通信発生予告情報が取得されたか判断する。ここでの判断が、通信発生予告情報が取得されたとの判断であった場合には、後述の警告情報出力ステップ（Ｓ１３４０）に移行する。ここでの判断が、通信発生予告情報が取得されなかったとの判断であった場合には、処理を終了する（通信発生予告情報取得判断ステップ  Ｓ１３３０）。最後に、前記通信発生予告情報取得判断ステップ（Ｓ１３３０）における判断が、通信発生予告情報が取得されたとの判断であった場合には、警告情報を出力する。この処理は警告情報出力部によって実行される（警告情報出力ステップ  Ｓ１３４０）。また、前記警告情報出力ステップ（Ｓ１３４０）にて出力される警告情報に応じて、表示画面に警告アイコンを表示してもよい。この処理は警告アイコン表示手段によって実行される（警告アイコン表示ステップ）。
【００３９】
（実施形態５：効果）本実施形態に係る電子機器は、実施形態１から４のいずれか一に係る電子機器の機能に加えて、プログラムを実行する機能を有し、通信発生予告情報取得部は、前記プログラムの実行に基づいて通信発生予告情報を取得する機能を有する。これにより、例えば、利用者がゲーム等のプログラムを実行する際に、通信発生予告情報を取得し、警告情報を出力することが可能である。また、特に通信に対して課金される場合には、利用者がゲームを実行中に通信の発生を認識することで、ゲームを中断する等の判断をすることが可能である。
（実施形態６）
【００４０】
（実施形態６：概要）本実施形態は、実施形態１から５のいずれか一に係る電子機器の機能に加え、画面表示部は、地上デジタル放送を受信する機能を有し、通信発生予告情報取得部は、受信された地上デジタル放送に含まれる信号に基づいて通信発生予告情報を取得する機能を有する電子機器に関する。
【００４１】
（実施形態６：構成）本実施形態に係る電子機器の機能ブロックを図１４に例示する。電子機器（１４００）の構成は、実施形態１から５のいずれか一に係る電子機器の構成に「地上デジタル放送受信手段」（１４１３）と「地上デジタル放送依存取得手段」（１４２３）を加えた構成となっている。図１４においては、実施形態５において説明の電子機器の構成に前記地上デジタル放送受信手段（１４１３）と前記地上デジタル放送依存取得手段（１４２３）を加えた構成を例示している。前記地上デジタル放送受信手段（１４１３）は画面表示部（１４１０）に含まれ、前記地上デジタル放送依存取得手段（１４２３）は通信発生予告情報取得部（１４２０）に含まれる。
【００４２】
「地上デジタル放送受信手段」（１４１３）は、地上デジタル放送を受信する機能を有する。
【００４３】
「地上デジタル放送依存取得手段」（１４２３）は、前記地上デジタル放送受信手段（１４１３）にて受信された地上デジタル放送に含まれる信号に基づいて通信発生予告情報を取得する機能を有する。「地上デジタル放送に含まれる信号」とは、具体的には、画像や音声を実現するためのデジタル信号である。「地上デジタル放送に含まれる信号に基づいて」とは、例えば、コンテンツを視聴している途中で通信を行なうことで、さらに続きのコンテンツをダウンロードするような場合を想定している。また、地上デジタル放送におけるデータ放送のコンテンツは、通信が発生するコンテンツと発生しないコンテンツが存在するが、例えば、通信が発生するリンクに利用者がカーソルを合わせることで通信発生予告情報が取得される場合等があってもよい。
【００４４】
図２１は、地上デジタル放送依存取得手段の具体例を示す。図２１では、地上デジタル放送を携帯電話で視聴している場合を例示している。地上デジタル放送においては、「テレビ動画」と「データ放送」は地上デジタル放送のコンテンツとして一体をなすものであり、地上デジタル放送の運用規定においてもこれらは常に同時に表示することが原則となっている。つまり、図２１に示すように、テレビ動画を表示する領域（２１１０）とデータ放送のコンテンツ（図２１においてはコンテンツへのリンク）を表示する領域（２１２０）は、常に同時に表示されることが前提である。また、「データ放送」のコンテンツには通信が発生しないコンテンツと通信が発生するコンテンツがあるが、図２１において、「ニュース」は通信が発生しないコンテンツであり、「天気」は通信が発生するコンテンツであるとする。まず（ａ）のように「ニュース」へのリンクにフォーカスが当たっているとする。次に、（ｂ）利用者が「下」の方向キーを一回押下すると、（ｃ）「天気」にフォーカスが当たる。（ｄ）利用者が「決定」ボタンを押下すると、「天気」は通信が発生するコンテンツであるので通信発生予告情報を取得する。その結果、（ｅ）通信の発生によって課金される旨を示す予告画面が表示される。また、このように予告画面が表示されるとテレビ動画が視聴できなくなるため、警告情報を警告アイコンで表示するとさらに利便性が高くなると思われる。
【００４５】
（実施形態６：処理の流れ）図１５は、本実施形態に係る電子機器における処理の流れを示すフロー図を例示する。最初に、地上デジタル放送を受信する。この処理は地上デジタル放送受信手段によって実行される（地上デジタル放送受信ステップ  Ｓ１５１０）。次に、前記地上デジタル放送受信ステップ（Ｓ１５１０）にて受信された地上デジタル放送に含まれる信号に基づいて通信発生予告情報を取得する。この処理は地上デジタル放送依存取得手段によって実行される（地上デジタル放送依存通信発生予告情報取得ステップ  Ｓ１５２０）。次に、前記地上デジタル依存通信発生予告情報取得ステップ（Ｓ１５２０）にて通信発生予告情報が取得されたか判断する。ここでの判断が、通信発生予告情報が取得されたとの判断であった場合には、後述の警告情報出力ステップ（Ｓ１５４０）に移行する。ここでの判断が、通信発生予告情報が取得されなかったとの判断であった場合には、処理を終了する（通信発生予告情報取得判断ステップ  Ｓ１５３０）。最後に、前記通信発生予告情報取得判断ステップ（Ｓ１５３０）における判断が、通信発生予告情報が取得されたとの判断であった場合には、警告情報を出力する。この処理は警告情報出力部によって実行される（警告情報出力ステップ  Ｓ１５４０）。また、前記警告情報出力ステップ（Ｓ１５４０）にて出力される警告情報に応じて、表示画面に警告アイコンを表示してもよい。この処理は警告アイコン表示手段によって実行される（警告アイコン表示ステップ）。
【００４６】
（実施形態６：効果）本実施形態に係る電子機器は、実施形態１から５のいずれか一に係る電子機器の機能に加えて、画面表示部は、地上デジタル放送を受信する機能を有し、通信発生予告情報取得部は、受信された地上デジタル放送に含まれる信号に基づいて通信発生予告情報を取得する機能を有する。これにより、地上デジタル放送のコンテンツを表示中に通信発生予告情報を取得した場合に、警告情報を出力することができる。また、地上デジタル放送のテレビ画像の視聴を妨げないように、警告アイコン等で通信の発生の予告を行なうと、より効果的である。
（実施形態７）
【００４７】
（実施形態７：概要）本実施形態は、実施形態１から６のいずれか一に係る電子機器の機能に加え、警告情報出力部は、一の通信に対する通信発生予告情報に対して異なる種類の警告情報を出力する機能を有する電子機器に関する。
【００４８】
（実施形態７：構成）本実施形態に係る電子機器の機能ブロックを図１６に例示する。電子機器（１６００）の構成は、実施形態１から６のいずれか一に係る電子機器の構成に「複数警告情報出力手段」（１６３１）を加えた構成となっている。図１６においては、実施形態６において説明の電子機器の構成に前記複数警告情報出力手段（１６３１）を加えた構成を例示している。前記複数警告情報出力手段（１６３１）は警告情報出力部（１６３０）に含まれる。
【００４９】
「複数警告情報出力手段」（１６３１）は、一の通信に対する通信発生予告情報に対して異なる種類の警告情報を出力する機能を有する。「異なる種類の警告情報」とは、例えば、通信により課金される際に、通信の発生のみを予告するための警告情報と課金に関する詳細情報を通知するための警告情報が出力されるような場合である。また、異なる種類の警告情報に応じて警告アイコン表示手段（１６１１）により表示される警告アイコンは、警告情報の出力順に応じて徐々に面積が大きくなるようになっていてもよい。
【００５０】
図１７は、複数警告情報出力手段の具体例を示す。図２１と同様、地上デジタル放送を携帯電話で受信する場合を一例として示す。また、データ放送のコンテンツとして、通信が発生する「ニュース」へのリンクと、通信が発生しない「天気」へのリンクが表示されている。まず（ａ）のように「ニュース」へのリンクにフォーカスが当たっているとする。次に、（ｂ）利用者が「下」の方向キーを一回押下すると、（ｃ）「天気」にフォーカスが当たる。「天気」は通信が発生するコンテンツであるので通信発生予告情報を取得し警告情報が発生する。ここで、（ｄ）発生した警告情報（１）が「警告アイコンによる通信の発生の予告」というような内容を示す情報であったとすると、（ｅ）警告アイコン（１７１０）が表示される。さらに、（ｆ）利用者が「決定」ボタンを押下して、（ｇ）警告情報（２）「文章表示による課金情報の表示」という内容を示す情報であったとすると、（ｈ）通信の発生によって課金される旨を示す文章が記述されている警告アイコンが表示される。
【００５１】
（実施形態７：処理の流れ）本実施形態に係る電子機器における処理の流れは、実施形態１から６のいずれか一に係る電子機器における処理の流れと同様である。ただし、前記警告情報出力ステップにて、異なる種類の警告情報を出力することを特徴とする。
【００５２】
（実施形態７：効果）本実施形態に係る電子機器は、実施形態１から６のいずれか一に係る電子機器の機能に加えて、警告情報出力部は、一の通信に対する通信発生予告情報に対して異なる種類の警告情報を出力する機能を有する。また、異なる種類の警告情報に応じて警告アイコン表示手段により表示される警告アイコンは、警告情報の出力順に応じて徐々に面積が大きくなるようになっている場合もある。これにより、一つの通信発生予告情報に対して様々な方法により警告情報を出力することができる。特に警告情報に応じて警告アイコンを表示する際、電子機器が携帯型のように小さな筐体であり警告アイコン等を表示するディプレイ等も小さい場合には、利用者に対して必要な情報を順次、通知する等が可能であるので便利である。
（実施形態８）
【００５３】
（実施形態８：概要）本実施形態は、実施形態１から７のいずれか一に係る電子機器の機能に加え、音声出力部を有し、警告情報出力部は、音声出力部に警告情報を出力する機能を有する電子機器に関する。
【００５４】
（実施形態８：構成）本実施形態に係る電子機器の機能ブロックを図１８に例示する。電子機器（１８００）の構成は、実施形態１から７のいずれか一に係る電子機器の構成に「音声出力部」（１８６０）と「警告音信号出力手段」（１８３２）を加えた構成となっている。図１８においては、実施形態７において説明の電子機器の構成に前記音声出力部（１８６０）と警告音信号出力手段（１８３２）を加えた構成を例示している。前記警告音信号出力手段（１８３２）は警告情報出力部（１８３０）に含まれる。
【００５５】
「音声出力部」（１８６０）は、音声を出力する機能を有し、前記警告音信号出力手段（１８３２）から警告音信号を受け取る。「警告音信号」とは、警告情報を音声にて出力する際の警告音を実現するための電子信号である。また、音声出力部は、具体的にはスピーカー等により実現されるが、電子機器に予め備えられているスピーカー等を利用してもよいし、別途、専用のスピーカー等を備えていてもよい。
【００５６】
「警告音信号出力手段」（１８３２）は、音声出力部（１８６０）に警告音信号を出力する機能を有する。即ち、警告情報を音声にて出力するために、警告音信号を出力する。「警告音信号」とは、警告音を実現するための電子信号である。警告音信号は、アラーム音のような警告音によって出力されてもよいし、「通信が発生します」等のように音声によって出力されてもよい。
【００５７】
（実施形態８：処理の流れ）図１９は、本実施形態に係る電子機器における処理の流れを示すフロー図を例示する。最初に、表示画面に画像を表示する。この処理は画面表示部によって実行される（画面表示ステップ  Ｓ１９１０）。次に、通信発生予告情報を取得する。この処理は通信発生予告情報取得部によって実行される（通信発生予告情報取得ステップ  Ｓ１９２０）。次に、前記通信発生予告情報取得ステップ（Ｓ１９２０）にて通信発生予告情報が取得されたか判断する。ここでの判断が、通信発生予告情報が取得されたとの判断であった場合には、後述の警告情報出力ステップ（Ｓ１９４０）に移行する。ここでの判断が、通信発生予告情報が取得されなかったとの判断であった場合には、処理を終了する（通信発生予告情報取得判断ステップ  Ｓ１９３０）。次に、前記通信発生予告情報取得判断ステップ（Ｓ１９３０）における判断が、通信発生予告情報が取得されたとの判断であった場合には、警告音信号を出力する。この処理は警告音信号出力手段よって実行される（警告音信号出力ステップ  Ｓ１９４０）。最後に、前記警告音信号出力ステップ（Ｓ１９４０）にて出力された警告音信号に基づいて、音声を出力する。この処理は音声出力部によって実行される（音声出力ステップ  Ｓ１９５０）。
【００５８】
（実施形態８：効果）本実施形態に係る電子機器は、実施形態１から７のいずれか一に係る電子機器の機能に加えて、音声出力部を有し、警告情報出力部は、音声出力部に警告情報を出力する機能を有する。これにより、通信発生予告情報が取得された場合に、利用者等に対して音によって通信の発生の予告をすることができる。
（実施形態９）
【００５９】
（実施形態９：概要）本実施形態は、実施形態１から８のいずれか一に係る電子機器を有する携帯型端末装置に関する。
【００６０】
（実施形態９：構成）本実施形態に係る携帯型端末装置の機能ブロックを図２０に例示する。携帯型端末装置（２０００）の構成は、実施形態１から８のいずれか一に係る電子機器（２０１０）を有する構成となっている。図２０においては、実施形態８において説明の電子機器を有する構成を例示している。図１８と同じ記号の構成要件は、実施形態８にて説明の構成要件と同様である。携帯型端末装置（２０００）は、具体的には、携帯電話、ＰＤＡ（Ｐｅｒｓｏｎａｌ  Ｄｉｇｉｔａｌ  Ａｓｓｉｓｔａｎｃｅ）、ノート型パソコン、ディスプレイ付きＩＣカード、携帯型ゲーム機、カーナビゲーションシステム、等の持ち運び可能な端末装置が該当する。
【００６１】
（実施形態９：処理の流れ）本実施形態に係る携帯型端末装置における処理の流れは、実施形態１から８のいずれか一に係る電子機器における処理の流れと同様である。
【００６２】
（実施形態９：効果）本実施形態に係る携帯型端末装置は、実施形態１から８のいずれか一に係る電子機器を有する。携帯型端末装置のように小型の端末装置においては、表示機能を有するディスプレイ等も小さい場合が多いと思われるため、利用者のコンテンツ等の視聴を妨げずに通信の発生の予告を行なう等のために、警告アイコンや音声により通知する場合には特に利便性が高い。
【図面の簡単な説明】
【００６３】
【図１】実施形態１に係る電子機器の機能ブロック図
【図２】通信発生予告情報の具体例
【図３】警告情報出力部の具体例
【図４】実施形態１に係る電子機器の処理の流れを示すフロー図
【図５】実施形態２に係る電子機器の機能ブロック図
【図６】実施形態２に係る電子機器の処理の流れを示すフロー図
【図７】実施形態３に係る電子機器の機能ブロック図
【図８】回避表示器の具体例
【図９】実施形態４に係る電子機器の機能ブロック図
【図１０】ブラウザ操作依存取得手段の具体例
【図１１】実施形態４に係る電子機器の処理の流れを示すフロー図
【図１２】実施形態５に係る電子機器の機能ブロック図
【図１３】実施形態５に係る電子機器の処理の流れを示すフロー図
【図１４】実施形態６に係る電子機器の機能ブロック図
【図１５】実施形態６に係る電子機器の処理の流れを示すフロー図
【図１６】実施形態７に係る電子機器の機能ブロック図
【図１７】複数警告情報出力手段の具体例
【図１８】実施形態８に係る電子機器の機能ブロック図
【図１９】実施形態８に係る電子機器の処理の流れを示すフロー図
【図２０】実施形態９に係る電子機器の機能ブロック図
【図２１】地上デジタル放送依存取得手段の具体例
【図２２】通信発生予告情報取得部の具体例
【符号の説明】
【００６４】
０１００    画像拡大装置
０１０１    コンテンツ情報取得部
０１０２    文字列情報取得部
０１０３    文字画像領域情報取得部
０１０４    拡大処理部
０１０５    拡大表示部
０１０６    制御部
【図１】
2006295711.tif 000003
【図２】
2006295711.tif 000004
【図３】
2006295711.tif 000005
【図４】
2006295711.tif 000006
【図５】
2006295711.tif 000007
【図６】
2006295711.tif 000008
【図７】
2006295711.tif 000009
【図８】
2006295711.tif 000010
【図９】
2006295711.tif 000011
【図１０】
2006295711.tif 000012
【図１１】
2006295711.tif 000013
【図１２】
2006295711.tif 000014
【図１３】
2006295711.tif 000015
【図１４】
2006295711.tif 000016
【図１５】
2006295711.tif 000017
【図１６】
2006295711.tif 000018
【図１７】
2006295711.tif 000019
【図１８】
2006295711.tif 000020
【図１９】
2006295711.tif 000021
【図２０】
2006295711.tif 000022
【図２１】
2006295711.tif 000023
【図２２】
2006295711.tif 000024